(57)【要約】【課題】  ローパーティションの入口に取付けられるスライドドアであって、安定してスライド開閉することが出来ると共に、ローパーティションの外観が損なわれないスライドドアの提供。【解決手段】  入口２を挟んで一方側パネル１ｂの上桟５と中桟７にはスライドレール１４，１４を取着し、このスライドレール１４にスライドドア３をスライド可能に取付ける。スライドレール１４はパネル１ｂの上桟５及び中桟７に固定されるパネル側レール１５、ドアの上桟１０と中桟１２に固定されるドア側レール１６、及び両レールの間に複数の球１８，１８・・やコロを介在した中レール１７にて構成している。また、各レールのスライド面には複数本の凹溝が形成されている。【選択図】    図５
2006037608.tif 000002
【特許請求の範囲】
【請求項１】
ローパーティションの入口に取付けられるスライドドアにおいて、入口を挟んで一方側パネルの上桟と中桟にはスライドレールを取着し、このスライドレールにスライドドアをスライド可能に取付け、該スライドレールはパネルの上桟及び中桟に固定されるパネル側レール、ドアの上桟と中桟に固定されるドア側レール、及び両レールの間に複数の球やコロを介在した中レールにて構成したことを特徴とするローパーティション用スライドドア。
【請求項２】
上記パネル側レールのスライド面、ドア側レールのスライド面、及び中レールのスライド面には複数の凹溝を長手方向に連続して形成し、パネル枠体の上桟、中桟、及び下桟、そしてドアパネル枠体の上桟、中桟、及び下桟にも同じく複数本の凹溝を形成した請求項１記載のローパーティション用スライドドア。
【請求項３】
上記スライドレールのパネル側レール、ドア側レール、中レールの材質をパネル枠体及びドアパネル枠体と同じくアルミ製にした請求項１又は請求項２記載のローパーティション用スライドドア。
【請求項４】
パネル枠体の２本の中桟にスライドレールを取着して、スライドドアをスライド可能に取付けた請求項１、請求項２、請求項３、又は請求項４記載のローパーティション用スライドドア。
【発明の詳細な説明】
【技術分野】
【０００１】
本発明は大きな部屋内部に小さな仕切り空間として設けられるローパーティションの入口に装着されるスライドドアに関するものである。
【背景技術】
【０００２】
オフィス空間内には、会議室や打合せ室などを作る為にローパーティションを設置して小さな空間を形成する場合が多い。該ローパーティションは背丈程度の高さのパネルをスタッドを介して垂直に起立・配列して構成されるが、該ローパーティションにて形成される空間へ出入りする為の入口が設けられ、この入口にスライドドアを装着することがある。勿論、スライドドアを設けることなく開口状態にされることも多い。
【０００３】
特開２００１−３２６１３号に係る「ローパーティション用スライドドア」は、ドアの取付け状態が外部から見えないようにしたものであり、出入口を形成するように離設された両パネルの両端部間に開閉用のスライドドアを設け、一方のパネル側の一面に複数のローラを水平配置として上下に回転自在に設け、ドアの一面にはローラに係合してスライド可能なレールを固設し、該ローラはドアの開閉に拘わらず常時隠蔽状態とされている。
【０００４】
しかし上記ローパーティション用スライドドアはパネルに取付けたローラによってスライド可能に支持される為に、しかも該ローラが外部から見えないように配置される為に、スライドドアの安定性は損なわれる。すなわち、同公報の図２に表しているように、隣り合うローラ間距離は小さく成ってしまい、スライドドアが開いた場合と閉じた場合には片持ち状態で支持しなくては成らない。
【０００５】
一方、パネル側に取付けた上記ローラはローパーティションの外部から見えないように成っているが、該ローラが係合する為にスライドドア側に設けているスライドレールが露出してしまう。すなわち、ローパーティションの内側からは、スライドドアの上下端部に取着される２本のスライドレールが露出している。
【特許文献１】特開２００１−３２６１３号に係る「ローパーティション用スライドドア」
【発明の開示】
【発明が解決しようとする課題】
【０００６】
このように、従来のローパーティション用スライドドアには上記のごとき問題がある。本発明が解決しようとする課題はこの問題点であり、安定した開閉操作が出来ると共に、スライドドアの支持強度が高いローパーティション用スライドドアを提供する。
【課題を解決するための手段】
【０００７】
本発明に係るローパーティションのスライドドアは入口に装着されて、スライドすることで該入口を開閉することが出来る。そして、本発明ではローラの代わりにスライドレールを使用し、スライドドアの上端部及び下端部に該スライドレールを取付けている。ここで、スライドレールはパネル側レール、ドア側レール、及び中レールの３本組で構成され、これら３本のレールが互いにスライド伸縮することが出来る。
【０００８】
ところで、ローパーティションを構成するパネルは縦桟及び上下桟、必要に応じて中桟を枠組みした枠体にパネル板を嵌めて構成されているが、上下桟及び中桟には複数の凹溝が連続して長手方向に形成されている。同じくスライドレールの各レールのスライド面にも同じく複数の凹溝が形成され、上桟及び中桟に取り付けらたスライドレールは一見して同一部材のように見られ、スライドして延びたスライドレールは上桟及び中桟が連続した外観を呈す。
【０００９】
そして、本発明では上記スライドレールの材質はアルミ製とし、アルミ製のパネル枠体及びドア枠体と同一材質が使用される。従って、上桟及び中桟に取付けられたスライドレールとの区別が付き難く、同一視される。
【発明の効果】
【００１０】
本発明のスライドドアはスライドレールにて支持される為に、安定した開閉操作を行うことが出来る。そして、スライドレールはパネル側レールとドア側レール、及び中レールの３本の組合せで構成されて、互いにスライドして伸縮する為に、入口を閉じる為にスライドドアがパネルから引き出されても、スライドドアの支持強度は高くて安定する。
【００１１】
又、本発明では、スライドレールを使用してスライドドアをスライド可能に取付けていて、その為に、スライドドアが前進して入口を閉じた際にはスライドレールは表面化するが、各レールには上桟及び中桟と同じ複数本の凹溝が形成されている為に、該スライドレールはパネル枠体及びドア枠体の上桟及び中桟と同じような意匠と成って、ローパーティションの外観が損なわれることはない。そして、スライドレールはパネル枠体及びドア枠体と同じくアルミ製である為に、少し離れた所からは、スライドレールが上桟及び中桟と区別が付かない程度に同一視される。
【実施例】
【００１２】
図１は本発明に係るローパーティションの入口部を示す外観図であり、スライドドアは後退して入口は開いている。同図において１ａ，１ｂ・・はパネルを表し、パネル１ａ，１ｂの間には入口２が形成され、この入口２を開閉する為のスライドドア３がパネル１ｂに取付けられている。図２はスライドドア３が前進して入口２が閉じた場合である。本発明のローパーティションでは、入口の両パネル１ａ，１ｂに跨る笠木は備えていない。その代わり、スライドドア３を取付けているパネル１ｂの先端側にはＬ型脚２１，２１が取付けらて該パネル１ｂの安定性が図られている。
【００１３】
ところで、ローパーディションを構成するパネル１ａ，１ｂ・・は、両縦桟４，４と上桟５、下桟６、及び中桟７，７を枠組みした枠体にパネル板８，８・・を嵌めて構成している。同じくスライドドア３も、両縦桟９，９と上桟１０、下桟１１、及び中桟１２，１２を枠組みした枠体にパネル板１３，１３・・を嵌めて構成している。
【００１４】
ところで、上記スライドドア３はパネル１ｂに取付けられてスライド可能と成っている。パネル１ｂの上桟５と中桟７にスライドレールが取着され、このスライドレールにスライドドアが取付けられている。すなわち、スライドレールを介してパネル１ｂにスライドドア３が取付けられ、スライドレールの伸縮スライドに伴ってスライドドアがスライドして入口を開閉することが出来る。
【００１５】
図３は図１のＡ−Ａ断面拡大図であり、２本のスライドレール１４，１４は上桟５と中桟７に取着されている。このスライドレール１４，１４はパネル側レール１５とドア側レール１６、及び中レール１７の３本レールの組み合わせで構成され、各レール間には複数の小さな球１８，１８・・が介在して互いに伸縮スライド可能と成っている。
【００１６】
図４は図３のＢ部拡大図を示し、パネル側レール１５は上桟５にネジ止めされ、ドア側レール１６はスライドドア３の上桟１０にネジ止めされている。そして、上記パネル側レール１５とドア側レール１６の間には概略Ｈ型断面の中レール１７が配置され、パネル側レール１５と中レール１７の間、及びドア側レール１６と中レール１７の間には複数の球１８，１８・・が配列されている為に、各レールは互いにスライド可能と成っている。
【００１７】
例えば、図１に示すようにスライドドア３が後退して入口２が開口している状態から、図２に示すようにスライドドア３を前進させて入口２を閉じる場合には、スライドドア３はドア側レール１６と共に中レール１７との間に設けている球１８，１８・・を介してスライドすることが出来る。ドア側レール１６がスライドして中レール１７の先端に当たったところで、中レール１７はドア側レール１６に引っ張られてスライドすることが出来る。ただし、スライドドア３のスライドに伴う中レール１７のスライド運動は、ドア側レール１６とパネル側レール１５とのスライド摩擦抵抗の大きさに左右される。
【００１８】
図５はローパーティションの入口部付近の平面図を表しているが、(ａ)に示すようにスライドドア３が後退して入口２が開口している場合には、３本のレールが互いに重なり合って縮まっている。(ｂ)はスライドドアが前進して入口２を閉じた場合であり、スライドレール１４は伸長して３本のレールは位置ズレし、一部が重なり合った状態にある。
【００１９】
そこで、パネル側レール１５の(Ａ)部分は表面化し、中レール１７の(Ｂ)部分も表面化する。同じく、ローパーティションの内部から見た際には、ドア側レール１６の(Ｃ)部分は表面化し、中レール１７の(Ｄ)部分も表面化する。このように、スライドドア３のスライドに伴って、スライドレール１４の各レールは互いに位置ズレして一部が表面化するが、本発明のローパーティションのドアは、このスライドレール１４が目立たない形態と成っている。
【００２０】
図６はスライドドア３が前進してパネル側レール１５の一部が表面化した場合を示しているが、パネル側レール１５のスライド面１８には複数本の凹溝１９，１９・・が長手方向に形成されている。同じくパネル枠体の上桟５の表面にも凹溝２０，２０・・が長手方向に設けられ、上記パネル側レール１５のスライド面１８に形成した凹溝１９，１９・・と上桟表面の凹溝２０，２０・・は同じ位置に設けられ、外部からは連続した凹溝として認識される。すなわち、同じ意匠を形成している。
【００２１】
その結果、パネル側レール１５の存在が目立ち難く、上桟５が連続して表面化している外観を呈す。同じように、中レール１７のスライド面にも凹溝が長手方向に連続して形成されている。従って、中レール１７、パネル側レール１５が共に表面化した図５(ｂ)のような場合であっても、該中レール１７、パネル側レール１５のスライド面には複数本の凹溝が形成されることで目立ち難く、上桟５が連続して表面化している意匠と成る。
【００２２】
そして、下方の中桟にもスライドレールが取付けられてスライドドアと連結しているが、このスライドレールと中桟との関係も上桟の場合と同じである。また、スライドドアを支持する為のスライドレールが取付けられる位置は必ずしも上桟と中桟に限るものではなく、２本の中桟に夫々のスライドレールを取付けることも出来る。
【図面の簡単な説明】
【００２３】
【図１】スライドドアが開いた場合のローパーティションの入口部。
【図２】スライドドアが閉じた場合のローパーティションの入口部。
【図３】図１のＡ−Ａ断面拡大図。
【図４】図３のＢ部拡大図。
【図５】ローパーティションの入口部付近の平面図。
【図６】上桟とパネル側レールに形成した凹溝。
【符号の説明】
【００２４】
１  パネル
２  入口
３  スライドドア
４  縦桟
５  上桟
６  下桟
７  中桟
８  パネル板
９  縦桟
10  上桟
11  下桟
12  中桟
13  パネル板
14  スライドレール
15  パネル側レール
16  ドア側レール
17  中レール
18  スライド面
19  凹溝
20  凹溝
21  Ｌ型脚
【図１】
2006037608.tif 000003
【図２】
2006037608.tif 000004
【図３】
2006037608.tif 000005
【図４】
2006037608.tif 000006
【図５】
2006037608.tif 000007
【図６】
2006037608.tif 000008